(57)【要約】      （修正有）【課題】ネジを用いること無く組立でき、分解時にコンパクト化が可能なバーベキューコンロを提供する。【解決手段】バーベキューコンロは四本の脚部１２を備え、脚部１２に縦長のスリット２１を等間隔に複数設けて被係合部２２を構成する。バーベキューコンロのコンロ本体の周壁を二枚の第一側板３１と二枚の第二側板３２で構成し、各側板３１，３２の端部に、被係合部２２と係脱自在に係合する係合部５１を設ける。係合部５１を、上下に離間して設けられた上方Ｌ字部５２及び下方Ｌ字部５３で構成する。このバーベキューコンロは、コンロ本体に設けられる底板と中網と焼き網とを備える。【選択図】図２
0003162144.tif 000002
【実用新案登録請求の範囲】
【請求項１】
焼き網や鉄板等の調理部がセットされる矩形状のコンロ本体と、該コンロ本体を支持する四本の脚部とを備えた組み立て式のバーベキューコンロにおいて、
前記コンロ本体を、周壁を構成する四枚の側板と、各側板の内側であって前記調理部より下側の部位にて前記各側板に支持される底板とで構成する一方、
前記各側板の端部に係合部を設けるとともに、各係合部と係脱可能の係合する被係合部を前記脚部に設け、前記各側板と前記底板と前記各脚部とに分解可能に構成したことを特徴とするバーベキューコンロ。
【請求項２】
前記係合部を、前記側板の端部より突出するとともに当該側板の面方向に沿って延在し先端が下方へ向けて延出した平板Ｌ字状のＬ字部で構成し、
前記被係合部を、前記係合部を挿入可能な縦長のスリットで構成したことを特徴とする請求項１記載のバーベキューコンロ。
【請求項３】
前記係合部を、上下に離間して設けられた一対の前記Ｌ字部で構成し、
前記側板の端部と対向する前記脚部の部位に前記スリットを上下方向に複数配置するとともに、各スリットの間隔を前記係合部を構成する一対のＬ字部の配置間隔に合わせて設定したことを特徴とする請求項２記載のバーベキューコンロ。
【請求項４】
前記底板に、当該底板と共に閉断面形状を形成する補強部を一端部から他端部に渡って延設したことを特徴とする請求項１、２又は３記載のバーベキューコンロ。
【考案の詳細な説明】
【技術分野】
【０００１】
本考案は、屋外でバーベキューをする際に使用するバーベキューコンロに関する。
【背景技術】
【０００２】
従来、屋外でバーベキューをする際には、バーベキューコンロが使用されている。
【０００３】
このバーベキューコンロとしては、組み立て式のものが知られており、容器状のコンロ本体と、該コンロ本体にセットされる網体と、前記コンロ本体に取り付けられる脚部とによって構成されている。
【０００４】
このバーベキューコンロを組み立てる際には、付属のネジを使用して前記脚部を前記コンロ本体に固定する。そして、このコンロ本体内に、炭を入れて点火するとともに、当該コンロ本体に網体を載せて使用する。
【０００５】
また、使用後には、前記コンロ本体から前記網体を取り取り除くとともに、該コンロ本体からネジを外すことによって当該コンロ本体から前記脚部を取り外す。そして、取り外した脚部を例えば前記コンロ本体に収容した後、当該コンロ本体の開口部に前記網体をセットすることで、当該バーベキューコンロのセットを一まとめにできるように構成されている。
【考案の概要】
【考案が解決しようとする課題】
【０００６】
しかしながら、このような従来のバーベキューコンロにあっては、非使用時でのさらなるコンパクト化が要求されていた。
【０００７】
また、組立にネジを使用する為、組立に手間がかかるとともに、ネジ紛失時には、組立不能となるという問題があった。
【０００８】
本考案は、このような従来の課題に鑑みてなされたものであり、ネジを用いること無く組立でき、分解時にコンパクト化が可能なバーベキューコンロを提供することを目的とするものである。
【課題を解決するための手段】
【０００９】
前記課題を解決するために本考案の請求項１のバーベキューコンロにあっては、焼き網や鉄板等の調理部がセットされる矩形状のコンロ本体と、該コンロ本体を支持する四本の脚部とを備えた組み立て式のバーベキューコンロにおいて、前記コンロ本体を、周壁を構成する四枚の側板と、各側板の内側であって前記調理部より下側の部位にて前記各側板に支持される底板とで構成する一方、前記各側板の端部に係合部を設けるとともに、各係合部と係脱可能の係合する被係合部を前記脚部に設け、前記各側板と前記底板と前記各脚部とに分解可能に構成した。
【００１０】
すなわち、このバーベキューコンロを組み立てる際には、対向して配置された脚部間に側板を設け、この側板の一端部に設けられた係合部を、近接する脚部に設けられた被係合部に係合するとともに、当該側板の他端部に設けられた係合部を、近接する脚部に設けられた被係合部に係合する。そして、この側板と前記脚部との係合作業を四枚総ての側板にて行い、四枚の側板によってロ字状の周壁を形成する。
【００１１】
すると、四本の脚部は、前記側板によって形成されたロ字状のコンロ本体によって連結されるとともに起立状態が維持される。
【００１２】
次に、前記各側板によって包囲された内側空間の下側に底板をセットするとともに、当該底板の上部に調理部をセットして、容器状のコンロ本体を形成する。
【００１３】
これにより、バーベキューコンロがネジなどを用いることなく組み立てられる。
【００１４】
このとき、前記コンロ本体は、前記四枚の側板によって構成されており、各側板と前記脚部とは、係合部と被係合部との係合構造によって構成されている。
【００１５】
このため、前記側板を、異なる長さの側板に変更することで、大きさの異なるコンロ本体が形成される。
【００１６】
使用後において、前記バーベキューコンロを分解する際には、前記コンロ本体から前記調理部を取り外すとともに、前記底板を取り外す。次に、前記側板の係合部と前記脚部の被係合部との係合状態を解除することで、対向する脚部間に設けられた側板をそれぞれ取り外す。
【００１７】
すると、前記バーベキューコンロは、コンロ本体を構成する四枚の側板と、前記底板と、及び前記調理部と、四本の脚部とに分解される。
【００１８】
このバーベキューコンロを片付ける際には、先ず、前記コンロ本体を構成する前記側板と前記底板と前記調理部とを、それぞれ個別に洗浄する。このとき、前記コンロ本体は、前記各部材に分解されているため、洗浄作業が容易に行われる。このとき、前記脚部が汚れている場合には、当該脚部を一本ずつ洗うことができる。
【００１９】
そして、洗い終えた前記各側板と前記底板と前記調理部とは重ねられることによってコンパクト化される。そして、この状態で袋体等に収納することで、コンパクト化されたバーベキューコンロが持ち運ばれる。
【００２０】
また、請求項２のバーベキューコンロにおいては、前記係合部を、前記側板の端部より突出するとともに当該側板の面方向に沿って延在し先端が下方へ向けて延出した平板Ｌ字状のＬ字部で構成し、前記被係合部を、前記係合部を挿入可能な縦長のスリットで構成した。
【００２１】
すなわち、前記脚部の前記被係合部は、縦長のスリットで構成されており、前記側板端部の係合部は、平板Ｌ字状のＬ字部で構成されている。
【００２２】
このため、前記側板の前記Ｌ字部を前記脚部の前記スリットに挿入し、下方へ移動することで、不用意な抜けが防止される。
【００２３】
このとき、前記Ｌ字部は、平板状に形成されており、前記スリットは縦長に形成されている。このため、前記Ｌ字部を前記スリットに挿入して係合させた状態では、前記脚部に対する捩れ方向への傾きが防止される。
【００２４】
さらに、請求項３のバーベキューコンロでは、前記係合部を、上下に離間して設けられた一対の前記Ｌ字部で構成し、前記側板の端部と対向する前記脚部の部位に前記スリットを上下方向に複数配置するとともに、各スリットの間隔を前記係合部を構成する一対のＬ字部の配置間隔に合わせて設定した。
【００２５】
すなわち、前記側板の前記係合部は、上下に離間して設けられた一対の前記Ｌ字部で構成されており、前記脚部には、前記スリットが上下方向に複数設けられ、その間隔は、一対のＬ字部の配置間隔に合わせて設定されている。
【００２６】
このため、前記脚部に対する前記側板の捩れ方向への傾きがさらに防止される。また、前記側板に設けられた前記Ｌ字部を前記脚部の上下方向に複数設けられたスリットに選択的に挿入して係合することで、当該側板の固定位置及び該側板によって形成される前記コンロ本体の高さ位置が定められる。
【００２７】
加えて、請求項４のバーベキューコンロでは、前記底板に、当該底板と共に閉断面形状を形成する補強部を一端部から他端部に渡って延設した。
【００２８】
すなわち、前記底板には、炭火等による熱が加えられ高温となる。すると、この熱によって当該底板が反ることがある。
【００２９】
そこで、前記底板に当該底板と共に閉断面形状を形成する補強部を延設することで、熱による反り返りが防止される。
【考案の効果】
【００３０】
以上説明したように本考案の請求項１のバーベキューコンロにあっては、組立及び分解に際してネジ等が不要である。
【００３１】
このため、組立時や分解時にネジを回すなどの締結解除作業が不要となり、組立分解を容易に行うことができる。また、前記ネジを使用しないので、ネジを使用する場合のように、ネジの紛失に起因して組立不能となるといった問題の発生を未然に防止することができる。
【００３２】
また、このバーベキューコンロは、脚部のみならず、前記コンロ本体も側板と底板とに分解することができるので、前記側板及び底板を重ねて収納することができる。このため、コンロ本体を分解できない場合と比較して、分解時でのさらなるコンパクト化を図ることができる。
【００３３】
これに伴って、収納時における持ち運び性を向上することができる。
【００３４】
さらに、前記コンロ本体は、前記側板と前記底板とに分解できるため、それぞれを個別に洗うことがができる。これにより、コンロ本体を分解できない場合と比較して、洗浄が容易となるとともに、キャンプ地など狭い場所での洗浄作業が可能となり、利便性を高めることができる。
【００３５】
そして、前記コンロ本体は、前記四枚の側板によって構成されており、各側板と前記脚部とは、係合部と被係合部との係合構造によって構成されている。
【００３６】
このため、前記側板を、異なる長さの側板に変更することで、大きさの異なるコンロ本体を形成することができる。これにより、幅広い利用形態に対応することができる。
【００３７】
また、請求項２のバーベキューコンロにおいては、側板に設けられたＬ字部を脚部に設けられたスリットに挿入して下方へ移動することで、不用意な抜けが防止された係合状態を形成することができる。
【００３８】
このとき、前記Ｌ字部は、平板状に形成されており、前記スリットは縦長に形成されている。このため、前記Ｌ字部を前記スリットに挿入して係合させた状態において、前記脚部に対する前記側板の捩れ方向への傾きを防止することができる。これにより、形成されるコンロ本体の不用意な変形を防止することができる。
【００３９】
さらに、請求項３のバーベキューコンロでは、側板の係合部を、上下に離間して設けられた一対の前記Ｌ字部で構成する一方、脚部には、複数の前記スリットが上下方向に設けられるとともに、その間隔は、一対のＬ字部の配置間隔に合わせて設定されている。
【００４０】
このため、前記側板の一対のＬ字部を前記脚部の一対のスリットに係合した状態において、当該脚部に対する前記側板の捩れ方向への傾きをさらに防止することができ、形成されるコンロ本体の不用意な変形をより確実に防止することができる。
【００４１】
また、前記側板に設けられた前記Ｌ字部を前記脚部の上下方向に複数設けられたスリットに選択的に挿入して係合することで、当該側板の固定位置及び該側板によって形成される前記コンロ本体を任意の高さに形成することができる。
【００４２】
これにより、利用者に応じた高さのバーベキューコンロを形成することができる。
【００４３】
加えて、請求項４のバーベキューコンロでは、前記底板には、当該底板と共に閉断面形状を形成する補強部が延設されており、当該底板に炭火による熱が加えられ高温となる場合であっても、この熱による当該底板の不用意な反り返りを防止することができる。
【図面の簡単な説明】
【００４４】
【図１】本考案の実施の形態を示す説明図である。
【図２】同実施の形態を分解した状態を示す図である。
【図３】同実施の形態の構成部品を示す図である。
【図４】組立可能なバーベキューコンロのバリエーションを示す説明図である。
【図５】同実施の形態のバーベキューコンロを組み立てる様子を示す説明図である。
【考案を実施するための形態】
【００４５】
以下、本考案の実施の形態を図に従って説明する。
【００４６】
図１は、本実施の形態にかかるバーベキューコンロ１を示す図であり、組み立て式のバーベキューコンロ１が組み立てられた状態が示されている。
【００４７】
このバーベキューコンロ１は、ステンレス製のタイプとスチール製のタイプとが用意されており、使用用途に応じて選択できるように構成されている。当該バーベキューコンロ１は、コンロ本体１１と四本の脚部１２，・・・とを備えており、該脚部１２，・・・によって前記コンロ本体１１が支持されている。前記脚部１２，・・・の下端部には、図外のキャスターを取り付けられるように構成されており、前記各脚部１２，・・・にキャスターを設けることで、当該バーベキューコンロ１をスライドして移動できるように構成されている。
【００４８】
前記コンロ本体１１は、矩形状に形成されており、図１には横長の長方形状に形成されたものが示されている。このコンロ本体１１には、焼き網や鉄板等の調理部を最上部にセットできるように構成されており、当該コンロ本体１１内には、炭などの固形燃料を収容した状態で燃やせるように構成されている。これにより、前記固形燃料からの火で前記調理部上の食材を調理できるように構成されている。
【００４９】
図２は、このバーベキューコンロ１を構成する部品を示す図であり、当該バーベキューコンロ１は、前述した四本の前記脚部１２，・・・を備えている（図２中は二本のみ図示）。各脚部１２，・・・は、例えば幅２１ｍｍ、高さ７００ｍｍの矩形筒状に形成されており、少なくとも角部を挟んて隣接した側面の中心部には、縦長のスリット２１，・・・が等間隔をおいて複数上下に設けられている。これらのスリット２１，・・・により、本願考案の被係合部２２が構成されている。
【００５０】
また、前記バーベキューコンロ１は、前記コンロ本体１１の周壁を構成する二枚の第一側板３１，３１と、二枚の第二側板３２，３２とを備えており（図２にはそれぞれ一枚のみ図示）、オプションで第三側板３３を追加購入することができる。前記第一側板３１の長さａは、例えば８００ｍｍに設定されてており、前記第二側板３２の長さｂは、例えば４００ｍｍに設定されている。また、前記第三側板３３の長さｃは、例えば６００ｍｍに設定されており、前記各側板３１〜３３の高さ寸法ｄは、例えば１８０ｍｍに設定されている。
【００５１】
各側板３１〜３３は、板状に形成されており、その上縁部には、側方に折曲されてなるフランジ部４１が全長に渡って形成され補強されている。また、各側板３１〜３３には、横並びに配列された空気穴４２，・・・が上下二段に形成されており、各空気穴４２，・・・は、横長の長方形状に形成されている。
【００５２】
前記各側板３１〜３３の各端部には、前記被係合部２２と係脱自在に係合する係合部５１が設けられており、該係合部５１は、上下に離間して設けられた一対の上方Ｌ字部５２及び下方Ｌ字部５３で構成されている。前記各Ｌ字部５２，５３は、前記各側板３１〜３３の端部より突出するとともに当該側板３１〜３３の面方向に沿って延在する平板状に形成されており、当該側板３１〜３３の端部より側方へ向けて延出した延出部５４と、該延出部５４の先端より下方へ向けて延出した下方延出部５５とによって先端が下方へ向けて延出したＬ字状に形成されている。
【００５３】
前記下方延出部５５は、前記スリット２１の長さ寸法より短めに設定されており、各Ｌ字部５２，５３の厚み寸法は、前記スリット２１の幅寸法よりやや薄めに設定されている。これにより、前記各Ｌ字部５２，５３は、前記スリット２１に抜き差し可能の挿入できるように構成されており、先端部を構成する前記下方延出部５５を前記スリット２１に挿入した状態で当該側板３１〜３３を下げることによって、当該Ｌ字部５２，５３の前記スリット２１からの不用意な抜けを防止できるように構成されている。
【００５４】
前記脚部１２，・・・に配列された前記スリット２１，・・・の配置間隔は、前記各側板３１〜３３の端部に設けられた前記上方Ｌ字部５２及び前記下方Ｌ字部５３の配置間隔に合わせて設定されており、前記上方Ｌ字部５２をいずれかのスリット２１に挿入する際に、当該上方Ｌ字部５２を挿入したスリット２１の二つ下のスリット２１に前記下方Ｌ字部５３を挿入できるように設定されている。
【００５５】
そして、前記各側板３１〜３３の下縁には、内側に折曲されてなる下段支持部６１が形成されており、該下段下縁部６１よりやや上方の部位には、内側へ向けて延出した中段支持部６２が長さ方向延設されている。また、該中段支持部６２の上方であって当該側板３１〜３３の上縁よりやや下方にずれた部位には、内側に延出した上段支持部６３が形成されており、当該側板３１〜３３の上縁と前記上段支持部６３との間には、段差が形成されている。
【００５６】
このバーベキューコンロ１は、図３にも示すように、前記各側板３１〜３３の前記上段支持部６３に周縁部が支持される調理部としての焼き網７１と、前記各側板３１〜３３の前記中段支持部６２に周縁部が支持される中網７２と、前記各側板３１〜３３の前記下段支持部６１に周縁部が支持される平板状の底板７３とを備えている。
【００５７】
前記焼き網７１は、幅狭格子状に形成されており、調理する食材を載置できるように構成されている。前記中網７２は、縦横に延設された直径３ｍｍの線材で構成されており、炭などの固形燃料を載置できるとともに、燃焼時に発生した灰を下方へ落とせるように構成されている。前記底板７３は、金属製の薄板で構成されており、落下した灰を受けられるように構成されている。
【００５８】
この底板７３の上面８１には、断面ハット型形状の補強部材８２がそのフランジ部にて溶接されており（図示省略）、当該補強部材８２と前記底板７３の一部とによって断面ロ字状の補強部８３，８３が形成されている。この補強部８３，８３は、当該底板７３の両長辺寄りの部位にて対応する長辺に沿って延設されており、長さ方向一端から他端に渡って設けられている。
【００５９】
前記焼き網７１と前記中網７２と前記底板７３とは、その長辺ｅが例えば８００ｍｍに設定されており、その短辺ｆは、例えば４００ｍｍに設定されている。前記焼き網７１と前記中網７２と前記底板７３とは、オプションとして異なるサイズのものが用意されている。
【００６０】
その一例として、図４に示すように、例えば縦寸法及び横寸法が５５０ｍｍ×５５０ｍｍのものや、縦寸法及び横寸法が４００ｍｍ×６００ｍｍのものや、縦寸法及び横寸法が４００ｍｍ×４００ｍｍのものが用意されており、前記側板３１〜３３をこれらのサイズに合わせて購入することで、用途に応じて縦寸法ｇ及び横寸法ｈが異なるサイズのバーベキューコンロ１を形成できるように構成されている。
【００６１】
以上の構成にかかる本実施の形態において、このバーベキューコンロ１を組み立てる際には、図５にも示したように、対向して配置された脚部１２，１２間に、任意に選択した側板、例えば第一側板３１，３１又は第二側板３２，３２を設け、これらの側板３１，３２の一端部に設けられた係合部５１を構成する上方Ｌ字部５２及び下方Ｌ字部５３を、近接する脚部１２に設けられた被係合部２２を構成するスリット２１，２１に係合するとともに、当該側板３１，３２の他端部に設けられた係合部５１を構成する上方Ｌ字部５２及び下方Ｌ字部５３を、近接する脚部１２に設けられた被係合部２２を構成するスリット２１，２１に係合する。そして、この側板３１，３２と前記脚部１２，１２との係合作業を四枚総ての側板３１，３１，３２，３２にて行い、四枚の側板３１，３１，３２，３２によってロ字状の周壁を形成する。
【００６２】
すると、四本の脚部１２，・・・は、前記各側板３１，３１，３２，３２によって形成されたロ字状のコンロ本体１１によって連結されるとともに起立状態が維持される。
【００６３】
次に、前記各側板３１，３１，３２，３２によって包囲された内側空間の下側に底板７３をセットし、その周縁部を各側板３１，３１，３２，３２の下段支持部６１，・・・に支持するとともに、当該底板７３の上部に中網７２をセットし、その周縁部を各側板３１，３１，３２，３２の中段支持部６２，・・・に支持する。また、この中網７２の上部に調理部としての焼き網７１をセットし、その周縁部を各側板３１，３１，３２，３２の上段支持部６３，・・・に支持して、容器状のコンロ本体１１を形成する。これにより、バーベキューコンロ１がネジなどを用いることなく組み立てられる。
【００６４】
このとき、前記コンロ本体１１は、前記四枚の側板３１，３１，３２，３２によって構成されており、各側板３１，３１，３２，３２と前記脚部１２，・・・とは、前記係合部５１と前記被係合部２２との係合構造によって構成されている。
【００６５】
このため、前記側板３１，３１，３２，３２を、異なる長さの側板に変更することで、図４に示したように、大きさの異なるコンロ本体１１が形成される。
【００６６】
使用後において、前記バーベキューコンロ１を分解する際には、前記コンロ本体１１から前記焼き網７１と前記中網７２と前記底板７３とを取り外すとともに、前記各側板３１，３１，３２，３２の係合部５１と前記脚部１２，・・・の被係合部２２との係合状態を解除することで、対向する脚部１２，１２間に設けられた各側板３１，３１，３２，３２をそれぞれ取り外す。すると、前記バーベキューコンロ１は、前記コンロ本体１１を構成する四枚の側板３１，３１，３２，３２と焼き網７１と中網７２と底板７３と四本の脚部１２，・・・とに分解される。
【００６７】
このバーベキューコンロ１を片付ける際には、先ず、前記コンロ本体１１を構成する前記側板３１，３１，３２，３２と焼き網７１と中網７２と底板７３とを、それぞれ個別に洗浄する。このとき、前記コンロ本体１１は、前記各部材３１，３２，７１，７２，７３に分解されているため、洗浄作業が容易に行われる。このとき、前記脚部１２，・・・が汚れている場合には、当該脚部１２を一本ずつ洗うことができる。
【００６８】
そして、洗い終えた前記各側板３１，３１，３２，３２と焼き網７１と中網７２と底板７３とは重ねられることによってコンパクト化される。
【００６９】
そして、この状態で袋体等に収納することで、コンパクト化されたバーベキューコンロ１が持ち運ばれる。
【００７０】
このように、本実施の形態にかかる前記バーベキューコンロ１にあっては、組立及び分解に際してネジ等が不要である。
【００７１】
このため、組立時や分解時にネジを回すなどの締結解除作業が不要となり、組立分解を容易に行うことができる。また、前記ネジを使用しないので、ネジを使用する場合のように、ネジの紛失に起因して組立不能となるといった問題の発生を未然に防止することができる。
【００７２】
また、このバーベキューコンロ１は、脚部１２，・・・のみならず、前記コンロ本体１１も分解することができるので、前記各部材３１，３２，７１，７２，７３を重ねて収納することができる。このため、コンロ本体を分解できない場合と比較して、分解時でのさらなるコンパクト化を図ることができる。これに伴って、収納状態での持ち運び性を向上することができる。
【００７３】
さらに、前記コンロ本体１１は、前記各側板３１，３２と焼き網７１と中網７２と底板７３とに分解できるため、それぞれを個別に洗うことがができる。これにより、コンロ本体を分解できない場合と比較して、洗浄が容易となるとともに、キャンプ地など狭い場所での洗浄作業が可能となり、利便性を高めることができる。
【００７４】
そして、前記コンロ本体１１は、前記四枚の側板３１，３１，３２，３２によって構成されており、各側板３１，３１，３２，３２と前記脚部１２，・・・とは、係合部５１と被係合部２２との係合構造によって構成されている。
【００７５】
このため、前記各側板３１，３１，３２，３２を、異なる長さの側板に変更することで、大きさの異なるコンロ本体１１を形成することができる。これにより、幅広い利用形態に対応することができる。
【００７６】
また、前記脚部１２の被係合部２２は、縦長のスリット２１で構成されており、前記各側板３１，３２端部の係合部５１は、平板Ｌ字状の各Ｌ字部５２，５３で構成されている。このため、前記側板３１，３２の前記各Ｌ字部５２，５３を前記脚部１２の前記スリット２１に挿入し、下方へ移動することで、不用意な抜けが防止された係合状態を形成することができる。
【００７７】
このとき、前記各Ｌ字部５２，５３は、平板状に形成されており、前記スリット２１は縦長に形成されている。このため、前記各Ｌ字部５２，５３を前記スリット２１に挿入して係合させた状態において、前記脚部１２に対する前記各側板３１，３２の捩れ方向への傾きを防止することができる。これにより、形成されるコンロ本体１１の不用意な変形を防止することができる。
【００７８】
このとき、前記各側板３１，３２の前記係合部５１は、上下に離間して設けられた一対の上方Ｌ字部５２及び下方Ｌ字部５３で構成されており、前記脚部１２には、前記スリット２１，・・・が上下方向に複数設けられ、その間隔は、一対のＬ字部５２，５３の配置間隔に合わせて設定されている。
【００７９】
このため、前記各側板３１，３２の一対のＬ字部５２，５３を前記脚部１２の一対のスリット２１，２１に係合した状態において、当該脚部１２に対する前記各側板３１，３２の捩れ方向への傾きをさらに防止することができ、形成されるコンロ本体１１の不用意な変形をより確実に防止することができる。
【００８０】
また、前記各側板３１，３２に設けられた前記各Ｌ字部５２，５３を前記脚部１２の上下方向に複数設けられたスリット２１，・・・に選択的に挿入して係合することで、当該側板３１，３２の固定位置及び当該側板３１，３２によって形成される前記コンロ本体１１を任意の高さに形成することができる。
【００８１】
これにより、利用者に応じた高さのバーベキューコンロ１を形成することができる。
【００８２】
一方、前記底板７３は、前記中網７２に載置された固形燃料の炎による熱が加えられ高温となり、この熱によって当該底板７３が反る恐れがある。
【００８３】
しかし、この底板７３には、当該底板７３と共に閉断面形状を形成する補強部８３，８３が延設されており、当該底板７３に熱が加えられ高温となる場合であっても、この熱による当該底板７３の不用意な反り返りを防止することができる。
【００８４】
これにより、灰の不用意な落下を防止することができる。
【００８５】
なお、本実施の形態では、前記係合部５１を前記各Ｌ字部５２，５３で構成するとともに、前記被係合部２２を前記スリット２１で構成した場合を例に挙げて説明したが、これに限定されるものではなく、例えば前記係合部５１を大径の頭部を有したボルト状に形成し、前記被係合部２２を前記頭部が挿入される係合穴で構成しても良い。
【符号の説明】
【００８６】
１    バーベキューコンロ
１１    コンロ本体
１２    脚部
２１    スリット
２２    被係合部
３１    第一側板
３２    第二側板
３３    第三側板
５１    係合部
５２    上方Ｌ字部
５３    下方Ｌ字部
７１    焼き網
７２    中網
７３    底板
８３    補強部
【図１】
0003162144.tif 000003
【図２】
0003162144.tif 000004
【図３】
0003162144.tif 000005
【図４】
0003162144.tif 000006
【図５】
0003162144.tif 000007